(57)【要約】【課題】奥行きの長い建物の部屋であっても採光を確保することができる建物に関する。【解決手段】建物の屋根の略最上部に高さ方向に突出した突出屋根Ｒが設けられ、その突出屋根Ｒの側面Ｓには開口部Ｗが設けられ、突出屋根Ｒの突出高さは約０．４ｍ以上約１．６ｍ以下の範囲になっており、突出屋根Ｒの室内部分は吹抜けＦとなっている。【選択図】  図１
2007100352.tif 000002
【特許請求の範囲】
【請求項１】
建物の本屋根に高さ方向に突出した突出屋根が設けられ、その突出屋根の側面には開口部が設けられ、突出屋根の突出高さは約０．４ｍ以上約１．６ｍ以下の範囲になっており、突出屋根の室内部分は吹抜けとなっていることを特徴とする突出屋根付き建物。
【請求項２】
前記突出屋根の室内部分の大きさが水平方向に約１．８ｍ×約１．８ｍ以上の大きさになされていることを特徴とする請求項１記載の突出屋根付き建物。
【請求項３】
前記突出屋根側面の開口部が、突出屋根の全ての側面に設けられていることを特徴とする請求項１又は請求項２記載の突出屋根付き建物。
【請求項４】
前記建物の本屋根が、約２／１０以下の緩勾配の屋根構造になっていることを特徴とする請求項１乃至請求項３のいずれかに記載の突出屋根付き建物。
【請求項５】
前記突出屋根の室内部分にロフト又は収納室が設けられていることを特徴とする請求項１乃至請求項４のいずれかに記載の突出屋根付き建物。
【請求項６】
柱および梁で箱型に構成された建物ユニットを複数個組み合わせることにより請求項１乃至請求項５のいずれかに記載の突出屋根付き建物が構成され、前記突出屋根部分が他の建物ユニットよりも天井高さの低い建物ユニットにより構成されていることを特徴とする突出屋根付き建物。
【発明の詳細な説明】
【技術分野】
【０００１】
本発明は建物の快適性を向上させた突出屋根付き建物に関する。
【背景技術】
【０００２】
建物はそれぞれ敷地に合わせて様々な間取りの建物が建てられている。例えば地方では、敷地が広いところが多いことから平屋建ての建物が多く見られる。また、その中でも東西方向に長く和室続き間を設けた建物が多く建てられている。このような建物は東西方向に廊下が長くなり動線が長くなりがちなことから、特許文献１のようなリビングルームを建物の中心に配置し、各部屋をリビングルームに隣接させることで廊下を減らし、東西動線を短くした建物が提案されている。また、都心部や商店街等では、間口の狭い敷地が多く、奥行き方向に長い建物が多くなっている。
このような建物の中心部分に部屋を有する建物や、奥行きの長い建物等は、採光や換気等が行いにくい部屋をどのように確保するかが課題になっており、その解決策として中庭を設けた建物や天窓を設けた建物が提案されている。
【特許文献１】特開２０００−８７５６８号
【発明の開示】
【発明が解決しようとする課題】
【０００３】
しかし、上記中庭を設ける提案では中庭スペースを設けるため部屋が小さくなり、中庭の排水も行いにくい等の課題がある。また、天窓を設ける場合は、屋根の傾斜面に合わせて窓を設置するため雨仕舞いが複雑となり、雨漏れが起こりやすい等の課題がある。
【０００４】
よって本発明の目的は、部屋を小さくすることがなく、雨漏れもしにくい建物でありながら、部屋の採光や換気等の快適性を向上させた突出屋根付き建物を提供することにある。
【課題を解決するための手段】
【０００５】
請求項１記載の発明は、建物の屋根の略最上部に高さ方向に突出した突出屋根が設けられ、その突出屋根の側面には開口部が設けられ、突出屋根の突出高さは約０．４ｍ以上約１．６ｍ以下の範囲になっており、突出屋根の室内部分は吹抜けとなっていることを特徴とする突出屋根付き建物である。
【０００６】
建物屋根の形状は寄棟屋根、切妻屋根、片流れ屋根、陸屋根、マンサード屋根等が使用でき特に屋根形状を限定するものではない。この建物の本屋根に本屋根と別構成の突出屋根が設けられる。
【０００７】
突出屋根の側面には開口部が設けられている。この開口部が有効な採光を確保できる高さとなるように、突出屋根の高さが約０．４ｍ以上約１．６ｍ以下の範囲となされている。なお、開口部については、開閉可能とすることが室内部分の換気を行うことも可能となるため好ましい。
【０００８】
請求項１記載の発明によれば、建物の屋根の略最上部に高さ方向に突出して突出屋根が設けられ、その側面に開口部が設けられているので、通常の壁面の場合と同様の構成で雨仕舞いができ、屋根の傾斜面の途中に開口部を設ける場合に比べ雨仕舞いが容易な構成となり雨漏れが起こりにくい。また、突出屋根の高さが約０．４ｍ以上約１．６ｍ以下の範囲となされているので、突出屋根の側面に設けられた開口部から室内部分への十分な採光や換気を確保することができる。また、突出屋根の室内部分は吹抜けとなっているので、突出屋根の真下の部屋を開放的な空間とすることができる。
【０００９】
請求項２記載の発明は、請求項１記載の突出屋根付き建物であって、前記突出屋根の室内部分の大きさが水平方向に約１．８ｍ×約１．８ｍ以上の大きさになされていることを特徴とするものである。
【００１０】
請求項２記載の発明によれば、突出屋根の室内部分の大きさが水平方向に約１．８ｍ×約１．８ｍ以上の大きさになされているので、突出屋根の室内部分の吹抜けを大きく設けることができ、開放感のある空間となるとともに、採光や換気等も確保し易くなる。なお、突出屋根の真下の部屋の床面面積の半分以上の面積を、突出屋根の室内部分の吹抜けとすると開放感も大きくなり好ましい。
【００１１】
請求項３記載の発明は、請求項１又は請求項２記載の突出屋根付き建物であって、前記突出屋根側面の開口部が、突出屋根の全ての側面に設けられていることを特徴とするものである。
【００１２】
請求項３記載の発明によれば、突出屋根側面の開口部が、突出屋根の全ての側面に設けられているので、全ての方向から採光や換気等をすることができ、太陽の動きや風向きに左右されることがない。
【００１３】
請求項４記載の発明は、請求項１乃至請求項３のいずれかに記載の突出屋根付き建物であって、前記建物の本屋根が、約２／１０以下の緩勾配の屋根構造になっていることを特徴とするものである。
【００１４】
略２／１０以下の緩勾配の屋根構造とは、例えばＲＣ造の建物に用いられるメンブレン防水層などの陸屋根構造や、金属板の折版による折版屋根構造や、金属板葺等による緩勾配の屋根構造等が使用できる。
【００１５】
請求項４記載の発明によれば、建物の本屋根が、約２／１０以下の緩勾配の屋根構造になっているので、本屋根の高さが低くなる。このことより、突出屋根の室内部分の吹抜けの高さが高くなり過ぎることがなく、通常の照明器具を突出屋根の天井面に設置でき、突出屋根の側面に設けられた開口部や天井付近の壁や天井面の掃除も行い易いものとなる。なお、陸屋根構造や折版屋根構造等の略フラットな屋根構成とすると屋根勾配により吹抜けが高くなり過ぎることが抑制しやすく、突出屋根の納まりも容易になるため好ましい。
【００１６】
請求項５記載の発明は、請求項１乃至請求項４のいずれかに記載の突出屋根付き建物であって、前記突出屋根の室内部分にロフト又は収納室が設けられていることを特徴とするものである。
【００１７】
ロフト又は収納室の天井高さは建築基準法に規定された１４００ｍｍ以下の高さとすると、延べ床面積に加算する必要がなく同じ容積率のまま空間を増やすことができ好ましい。
【００１８】
請求項５記載の発明によれば、突出屋根の室内部分にロフト又は収納室が設けられているので、ロフト又は収納室に簡単な収納物を収納したり、ロフトをくつろぎの空間として使用することができる。
【００１９】
請求項６記載の発明は、柱および梁で箱型に構成された建物ユニットを複数個組み合わせることにより請求項１乃至請求項５のいずれかに記載の突出屋根付き建物が構成され、前記突出屋根部分が他の建物ユニットよりも天井高さの低い建物ユニットにより構成されていることを特徴とする突出屋根付き建物である。
【００２０】
請求項６記載の発明によれば、建物ユニットで構成することで容易に本発明の突出屋根付き建物を構築できる。更に、突出屋根部分を他の建物ユニットよりも天井高さの低い建物ユニットで構成することで本発明の突出屋根部分が容易に構成することができる。
【発明の効果】
【００２１】
請求項１記載の突出屋根付き建物によれば、建物の本屋根に高さ方向に突出して突出屋根が設けられ、その側面に開口部が設けられているので、通常の壁面の場合と同様の構成で雨仕舞いができ、屋根の傾斜面の途中に開口部を設ける場合に比べ雨仕舞いが容易な構成となり雨漏れが起こりにくい。また、突出屋根の高さが約０．４ｍ以上約１．６ｍ以下の範囲となされているので、突出屋根の側面に設けられた開口部から室内部分への十分な採光や換気等を確保することができる。また、突出屋根の室内部分は吹抜けとなっているので、突出屋根の真下の部屋を開放的な空間とすることができる。
【００２２】
請求項２記載の突出屋根付き建物によれば、突出屋根の室内部分の大きさが水平方向に約１．８ｍ×約１．８ｍ以上の大きさになされているので、突出屋根の室内部分の吹抜けを大きく設けることができ、開放感のある空間となるとともに、採光や換気等も確保し易くなる。
【００２３】
請求項３記載の突出屋根付き建物によれば、突出屋根側面の開口部が、突出屋根の全ての側面に設けられているので、全ての方向から採光や換気等を行うことができ、太陽の動きや風向きに左右されることがない。
【００２４】
請求項４記載の突出屋根付き建物によれば、建物の本屋根が、約２／１０以下の緩勾配の屋根構造になっているので、屋根の高さが低くなる。このことより、室内部分の吹抜けの高さが高くなり過ぎることがなく、通常の照明器具を突出屋根の天井面に設置でき、突出屋根の側面に設けられた開口部や天井付近の壁や天井面の掃除も行い易いものとなる。
【００２５】
請求項５記載の吹抜け付き建物によれば、突出屋根の室内部分にロフト又は収納室が設けられているので、ロフト又は収納室に簡単な収納物を収納したり、ロフトをくつろぎの空間として使用することができる。
【００２６】
請求項６記載の突出屋根付き建物によれば、建物ユニットで構成することで容易に本発明の突出屋根付き建物を構築できる。更に、突出屋根部分を他の建物ユニットよりも天井高さの低い建物ユニットで構成することで本発明の突出屋根部分が容易に構成することができる。
【発明を実施するための最良の形態】
【００２７】
以下、本発明の、突出屋根付き建物の実施の形態を図１乃至図５に基づいて説明する。
【実施例１】
【００２８】
実施例１は図１乃至図３を用いて説明を行う。図１は本発明の突出屋根付き建物の実施例１の平面図である。図２は本発明の突出屋根付き建物の実施例１の南立面図及び東西方向切断の断面図である。図３は本発明の突出屋根付き建物の実施例１の東立面図および南北方向切断の断面図である。
【００２９】
突出屋根付き建物Ａ１は、柱および梁で箱型に構成された建物ユニットを複数個組み合わせることにより構成されたユニット建物である。建物ユニットの組み合わせ構成は、５．４ｍ幅の建物ユニットを突出屋根付き建物Ａ１の中央部分に４ユニット配置し、その両側に３．６ｍ幅の建物ユニットを４ユニット配置した構成となっている。各部屋部分は標準の天井高さの建物ユニットＢ１により構成され、突出屋根Ｒ部分は天井高さの低い建物ユニットＢ２により構成されている。建物ユニットＢ１及び建物ユニットＢ２は供に４本の柱が設けられ、その柱上部には天井梁が設けられ、柱下端には床梁が設けられた構成になっている。また、建物ユニットＢ１の天井高さは２．４ｍ、建物ユニットＢ２の天井高さは１．４ｍとなっている。本屋根の構成は約１／１００程度の水勾配のステンレス折版を使用した折版屋根構造となっている。
【００３０】
突出屋根付き建物Ａ１は図１に示すように、南側で道路に接する敷地に建てられた建物である。突出屋根付き建物Ａ１は、南側中央付近に親子ドアのついた玄関１が設けられている。玄関１を入り正面には室内用親子ドアが設けられている。室内用親子ドアを開けて入るとＬＤＫ２（リビングダイニングキッチン）になっている。ＬＤＫ２の北側からキッチンスペース、ダイニングスペース、リビングスペースの順に配置されている。ＬＤＫ２には南側壁面には屋外との出入も可能な１．８ｍ幅の掃き出し窓が、北側壁面には勝手口と０．９ｍ幅のキッチン窓が設けられている。
【００３１】
各部屋はＬＤＫ２に隣接して設けられている。ＬＤＫ２の北東側には主寝室３が設けられている。この主寝室３の南側部分には折戸のついたクローゼットが、北側壁面には屋外との出入も可能な１．８ｍ幅の掃き出し窓が、東側壁面には０．４５ｍ幅の腰高窓が２個、西側壁面にはＬＤＫ２と出入するドアが設けられている。ＬＤＫ２の南東側には和室４が設けられている。この和室４の北側部分には押入れと床の間が、東側壁面には１．３５ｍ幅の腰高窓が、南側壁面には屋外と出入も可能な２．７ｍ幅の掃き出し窓が、西側壁面にはＬＤＫと出入するドアが設けられている。ＬＤＫ２の北西側には東側より順に浴室、洗面所、便所の順に水周り設備が設けられている。ＬＤＫ２の西側には子供室５が設けられている。この子供室５には南側部分にクローゼット及びＬＤＫ２と出入するドアが、西側壁面には１．８ｍ幅の腰高窓が設けられている。ＬＤＫ２の南西側には子供室６が設けられている。この子供室６には北側部分にクローゼット及びＬＤＫ２と出入するドアが、西側壁面には０．９ｍ幅の出窓が、南側壁面には屋外との出入も可能な１．８ｍ幅の掃き出し窓が設けられている。
【００３２】
ＬＤＫ２の上方の屋根には高さ方向に突出した突出屋根Ｒが設けられている。この突出屋根Ｒは、天井高さの低い建物ユニットＢ２を３ユニット使用して、約５．４ｍ×約６．７５ｍ程度の大きさで設けられている。突出屋根Ｒの側面Ｓには開口部Ｗが設けられている。開口部の種類としては、南側側面には５．４ｍ幅の窓が、東側側面及び西側側面には１．８ｍ幅の窓と０．４５ｍ幅の窓２個が、北側側面には１．８ｍ幅の窓２個が設けられている。各開口部Ｗは開閉が可能な構成になっている。
突出屋根Ｒの突出高さは約０．４ｍ以上約１．６ｍ以下の範囲とすればよいが本実施例では１．４ｍとした。突出屋根Ｒの室内部分は、南側部分が約５．４ｍ×約４．５ｍの大きさの吹抜けＦとなっており、北西側部分が約２．７ｍ×約２．２５ｍの大きさのロフト７になっており、北東側部分が約２．７ｍ×約２．２５ｍの大きさの収納室８となっている。ロフト７はＬＤＫ２よりはしごにより昇降が可能になっている。また、収納室８はロフト７に隣接しており、ロフト７より出入が可能になっている。
吹抜けＦの天井高さは、標準の天井高さの建物ユニットＢ１の天井高さ２．４ｍと天井高さの低い建物ユニットＢ２の天井高さ１．４ｍとユニットの繋ぎ目部分の梁高さ０．４ｍを加えた４．２ｍの高さとなっている。
【００３３】
この実施例１の構成によれば、本屋根に高さ方向に突出して突出屋根Ｒが設けられ、その側面Ｓに開口部Ｗが設けられているので、通常壁面の窓と同様の納まりの雨仕舞いが使用でき、屋根の傾斜面の途中に開口部を設ける場合に比べ雨仕舞いが容易な構成となり雨漏れが起こりにくい。また、突出屋根Ｒの突出高さが１．４ｍの高さとなされているので、突出屋根Ｒの側面Ｓに設けられた開口部Ｗから室内部分への十分な採光を確保することができる。また、突出屋根Ｒの室内部分は約５．４ｍ×約４．５ｍの大きさの吹抜けＦとなっているので、ＬＤＫ２が開放的な空間となっている。
【００３４】
また、突出屋根Ｒの全ての側面Ｓに開口部Ｗが設けられているので、全ての方向から採光や換気等を確保することができる。よって、太陽の動きに左右されることなく採光を確保することができる。更に、開口部Ｗは開閉可能になっているので風向きに左右されることなく風道４１を確保することができ効率的な換気を行うことができる。
【００３５】
また、建物の本屋根が、約１／１００程度の緩勾配の折版屋根になっているので、本屋根の最上部が低くなり、吹抜けＦの高さが高くなり過ぎることがなく、通常の照明器具を突出屋根Ｒの天井面に設置でき、突出屋根Ｒの側面Ｓに設けられた開口部Ｗや天井付近の壁や天井面の掃除も行い易いものとなっている。
【００３６】
また、突出屋根Ｒの室内部分にロフト７及び収納室８が設けられているので、ロフト７をくつろぎの空間として使用し、収納室８に簡単な収納物を収納することができる。また、突出屋根Ｒの天井高さが１．４ｍの建物ユニットで構成されているので、ロフト７及び収納室８の天井高さも１．４ｍとなり、建築基準法の容積率に規定された１．４ｍ以下の高さとなっているので、延べ床面積に加算する必要がなく同じ容積率のまま空間を増やすことができる。
【００３７】
また、突出屋根付き建物Ａ１が、建物ユニットＢ１及び建物ユニットＢ２で構成されているので容易に突出屋根付き建物Ａ１を構築することができる。更に、突出屋根Ｒ部分を他の建物ユニットよりも天井高さの低い建物ユニットＢ１で構成しているので本発明の突出屋根Ｒ部分も容易に構成することができる。
【００３８】
また、突出屋根Ｒが本屋根面９より突出しているため、屋根ラインに変化が生まれ外観にも表情がでる。
【実施例２】
【００３９】
実施例２は図４を用いて説明を行う。図４は本発明の突出屋根付き建物の実施例２の平面図である。
【００４０】
実施例２の突出屋根付き建物Ａ２は実施例１と同様に、柱および梁で箱型に構成された建物ユニットを複数個組み合わせることにより構成されたユニット建物である。建物ユニットの組み合わせ構成は、西側より２．７ｍ幅、５．４ｍ幅、３．６ｍ幅、３．６ｍ幅の建物ユニットにより構成されている。各部屋部分は標準の天井高さの建物ユニットＢ１により構成され、突出屋根Ｒ２部分は天井高さの低い建物ユニットＢ２により構成されている。建物ユニットＢ１及び建物ユニットＢ２は供に４本の柱が設けられ、その柱上部には天井梁が設けられ、柱下端には床梁が設けられていない構成になっている。また、建物ユニットＢ１の天井高さは２．４ｍ、建物ユニットＢ２の天井高さは１．４ｍとなっている。本屋根の構成は約１／１００程度の水勾配のステンレス折版を使用した折版屋根構造となっている。
【００４１】
突出屋根付き建物Ａ２は、南側で道路に接する敷地に建てられた建物であり、南側に玄関２１が設けられている。玄関２１を入った東側に広縁２２が設けられ、広縁２２の北側に８畳・８畳の和室続き間２３が設けられている。広縁２２の東側には主寝室２４が設けられている。和室続き間２３の北側にはＬＤＫ（リビングダイニングキッチン）２５が設けられている。ＬＤＫ２５の東側には便所、洗面所、洗濯室、浴室等の水周り設備が設けられている。玄関２１を入った西側には、子供室２６が設けられている。子供室２６の北側には子供室２７が設けられている。各部屋には適宜窓や収納が設けられている。
【００４２】
ＬＤＫ２５水回り設備スペース２６、子供室２８の上方には本屋根から高さ方向に突出した突出屋根Ｒ２が設けられている。この突出屋根Ｒ２は、天井高さの低い建物ユニットＢ２を８ユニット使用して、約１５．３ｍ×約３．５ｍ程度の大きさで設けられている。突出屋根Ｒ２の側面には開口部Ｗ２が設けられている。開口部の構成としては、南側側面には全面に亘って窓が設けられ、東側側面及び西側側面には開口部を設けられず、北側側面には０．４５幅の窓が４箇、０．９ｍ幅の窓が１個、２．７ｍ幅の窓２個が設けられている。各開口部Ｗ２は開閉が可能な構成になっている。
【００４３】
突出屋根Ｒ２の突出高さは約０．４ｍ以上約１．６ｍ以下の範囲とすればよいが本実施例では１．４ｍとされている。突出屋根の室内部分については、ＬＤＫ２５の上方部分は約９．０ｍ×約３．５ｍの大きさの吹抜けＦ２１となっており、水周り設備スペース２６の上方部分は収納室２９となっており、子供室２８の上方部分は２．７ｍ×２．２５ｍの大きさの吹抜けＦ２２とロフト３０となっている。収納室２９は、水周り設備スペースからはしごにより昇降が可能になっている。ロフト３０は、子供室２８からはしごにより昇降が可能になっている。
吹抜けＦの天井高さは、標準の天井高さの建物ユニットＢ１の天井高さ２．４ｍと天井高さの低い建物ユニットＢ２の天井高さ１．４ｍとユニットの繋ぎ目部分の梁高さ０．２ｍを加えた４．０ｍの高さとなっている。
【００４４】
この実施例２の構成によれば、本屋根に高さ方向に突出して突出屋根Ｒ２が設けられ、その側面に開口部Ｗが設けられているので、通常壁面の開口部と同様の納まりが使用でき、屋根の傾斜面の途中に開口部を設ける際に比べ雨仕舞いが容易な構成となり雨漏れが起こりにくい。また、突出屋根Ｒ２の高さが１．４ｍの高さとなされているので、突出屋根Ｒ２の側面Ｓに設けられた開口部Ｗから室内部分への十分な採光や換気等を確保することができる。また、ＬＤＫ２５及び子供室２８の上方の突出屋根Ｒ２の室内部分が吹抜けＦ２１、Ｆ２２となっているので、開放的な空間となっている。
【００４５】
また、突出屋根Ｒ２の南側側面の前面に開口部Ｗ２が設けられているので、北側にしか屋外に面していないＬＤＫ２５であっても、開口部Ｗ２から南面採光を確保することができる。更に、開口部Ｗ２は開閉可能になっているので風道を確保でき効率的な換気を行うこともできる。
【００４６】
また、建物の本屋根が、約１／１００程度の緩勾配の折版屋根になっているので、本屋根の高さが低くなり、吹抜けＦ２１、Ｆ２２の高さが高くなり過ぎることがなく、通常の照明器具を突出屋根Ｒ２の天井面に設置でき、突出屋根Ｒ２の側面Ｓに設けられた開口部Ｗ２や天井付近の壁や天井の掃除も行い易いものとなっている。
【００４７】
また、子供室２８の吹抜けＦ２２に隣接してロフト３０が設けられているので、ロフト３０をくつろぎの空間として使用できる。また、収納室２９に簡単な収納物を収納することもできる。また、突出屋根Ｒ２の天井高さが１．４ｍの建物ユニットで構成されているので、ロフト３０及び収納室２９の天井高さも１．４ｍとなり、建築基準法の容積率に規定された１．４ｍ以下の高さとなっているので、延べ床面積に加算する必要がなく同じ容積率のまま空間を増やすことができる。
【００４８】
また、突出屋根付き建物Ａ２が、建物ユニットＢ１及び建物ユニットＢ２で構成されているので容易に突出屋根付き建物Ａ２を構築することができる。更に、突出屋根Ｒ２部分を他の建物ユニットよりも天井高さの低い建物ユニットＢ１で構成しているので本発明の突出屋根Ｒ２部分も容易に構成することができる。
【実施例３】
【００４９】
実施例３は図５を用いて説明を行う。図５は本発明の突出屋根付き建物の実施例３の平面図である。
【００５０】
実施例３の突出屋根付き建物Ａ３は、南側で道路に接する敷地に建てられた２階建ての建物であり、実施例１及び実施例２と同様に、柱および梁で箱型に構成された建物ユニットを複数個組み合わせることにより構成されたユニット建物である。建物ユニットの組み合わせ構成は、４．５ｍ幅の建物ユニットにより構成されている。各部屋部分は標準の天井高さの建物ユニットＢ１により構成され、突出屋根部分は天井高さの低い建物ユニットＢ２により構成されている。建物ユニットＢ１及び建物ユニットＢ２は供に４本の柱が設けられ、その柱上部には天井梁が設けられ、柱下端には床梁が設けられた構成になっている。また、建物ユニットＢ１の天井高さは２．４ｍ、建物ユニットＢ２の天井高さは１．０ｍとなっている。本屋根の構成は約１／１００程度の水勾配のステンレス折版を使用した折版屋根となっている。
【００５１】
突出屋根付き建物Ａ３の１階の南側に玄関３１が設けられている。玄関３１の東側は車庫３２となっている。玄関３１を入って北側には階段が設けられている。車庫３２の北側には東側より便所、洗面所、浴室の順に設けた水周り設備スペースが設けられている。２階部分の南側には子供室３４、子供室３５が設けられている。北側にはＬＤＫ（リビングダイニング）３６が設けられている。
【００５２】
ＬＤＫ３６の上方には、本屋根から高さ方向に突出した突出屋根Ｒ３が設けられている。この突出屋根Ｒ３は、天井高さの低い建物ユニットＢ２を１ユニット使用して、約２．７ｍ×約２．２５ｍ程度の大きさで設けられている。突出屋根Ｒ３の全ての側面Ｓには開口部Ｗ３が設けられている。各開口部Ｗ３は開閉が可能な構成になっている。
突出屋根Ｒ３の突出高さは約０．４ｍ以上約１．６ｍ以下の範囲とすればよいが本実施例では１．０ｍとした。突出屋根Ｒ３の室内部分については、ＬＤＫ２５の吹抜けＦ３となっている。この吹抜けＦ３の天井高さは、標準の天井高さの建物ユニットＢ１の天井高さ２．４ｍと天井高さの低い建物ユニットＢ２の天井高さ１．０ｍとユニットの繋ぎ目部分の梁高さ０．２４ｍを加えた３．８ｍの高さとなっている。
【００５３】
この実施例３の構成によれば、本屋根に高さ方向に突出して突出屋根Ｒ３が設けられ、その側面に開口部Ｗ３が設けられているので、通常壁面の開口部と同様の納まりが使用でき、屋根の傾斜面の途中に開口部を設ける場合に比べ雨仕舞いが容易な構成となり雨漏れが起こりにくい。また、突出屋根Ｒ３の突出高さが１．０ｍとなされているので、突出屋根Ｒ３の側面に設けられた開口部Ｗ３からＬＤＫ３６への十分な採光を確保することができる。また、ＬＤＫ３６の上方が吹抜けＦ３となっているので、開放的な空間となる。
【００５４】
また、突出屋根Ｒ３の全側面に開口部Ｗ３が設けられているので、奥行きの長い建物であっても採光や換気等を確保することができる。更に、開口部Ｗ２は開閉可能になっているので風道を確保でき効率的な換気を行うこともできる。
【００５５】
また、建物の本屋根が、約１／１００程度の緩勾配の折版屋根になっているので、本屋根の高さが低くなり、吹抜けＦ３の高さが高くなり過ぎることがなく、通常の照明器具を突出屋根Ｒ３の天井面に設置でき、突出屋根Ｒ３の側面に設けられた開口部Ｗ３や天井付近の壁や天井の掃除も行い易いものとなっている。
【００５６】
また、突出屋根付き建物Ａ３が、建物ユニットＢ１及び建物ユニットＢ２で構成されているので容易に突出屋根付き建物Ａ３を構築することができる。更に、突出屋根Ｒ３部分を他の建物ユニットよりも天井高さの低い建物ユニットＢ１で構成しているので本発明の突出屋根Ｒ２部分も容易に構成することができる。
【００５７】
以上、本発明の実施例を説明したが、本発明は上記実施例に限定されるものではなく、本発明の要旨を逸脱しない範囲の設計変更があっても本発明に含まれるのは勿論である。
【産業上の利用可能性】
【００５８】
建物の快適性を向上させた突出屋根付き建物として有効である。
【図面の簡単な説明】
【００５９】
【図１】本発明の突出屋根付き建物の実施例１の平面図である。
【図２】（ａ）本発明の突出屋根付き建物の実施例１の南立面図である。               （ｂ）本発明の突出屋根付き建物の実施例１の東西方向切断の断面図である。
【図３】（ａ）本発明の突出屋根付き建物の実施例１の東立面図である。               （ｂ）本発明の突出屋根付き建物の実施例１の南北方向切断の断面図である。
【図４】本発明の突出屋根付き建物の実施例２の平面図である。
【図５】本発明の突出屋根付き建物の実施例３の平面図である。
【符号の説明】
【００６０】
Ａ１、Ａ２、Ａ３    ユニット建物
Ｂ１                標準天井高さの建物ユニット
Ｂ２                天井高さの低い建物ユニット
Ｆ１、Ｆ３          吹抜け
Ｆ２１、Ｆ２２      吹抜け
Ｒ１、Ｒ２、Ｒ３    突出屋根
Ｓ                  側面
Ｗ１、Ｗ２、Ｗ３    開口部              
１                  玄関
２                  ＬＤＫ（リビングダイニングキッチン）
３                  主寝室
４                  和室
５                  子供室
６                  子供室
７                  ロフト
８                  収納室
９                  屋根
２１                玄関
２２                広縁
２３                和室続き間
２４                主寝室
２５                ＬＤＫ（リビングダイニングキッチン）
２６                水周り設備スペース
２７                子供室
２８                子供室
２９                収納室
３０                ロフト
３１                玄関
３２                車庫
３３                水周り設備スペース
３４                子供室
３５                子供室
３６                ＬＤＫ（リビングダイニングキッチン）
４１、４２、４３    風道
【図１】
2007100352.tif 000003
【図２】
2007100352.tif 000004
【図３】
2007100352.tif 000005
【図４】
2007100352.tif 000006
【図５】
2007100352.tif 000007